【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
１以上の交感神経の緊張中性点において刺激のしきい値で、印加された刺激を決定し、
１以上の交感神経の緊張依存点において同じ刺激のしきい値で、印加された刺激を決定する
ことからなる交感神経の緊張を決定する方法。
【請求項２】
前記印加された刺激は、印加された機械的刺激を用いて提供されることを特徴とする、請求項１に記載された方法。
【請求項３】
前記印加された機械的刺激は、印加された圧縮力を用いて提供されることを特徴とする、請求項２に記載された方法。
【請求項４】
前記印加された刺激は、印加された熱的刺激を用いて提供されることを特徴とする、請求項１に記載された方法。
【請求項５】
前記印加された刺激は、印加された熱または寒さを用いて提供されることを特徴とする、請求項４に記載された方法。
【請求項６】
前記印加された刺激は、印加された放射を用いて提供されることを特徴とする、請求項１に記載された方法。
【請求項７】
前記印加された刺激は、印加された赤外光、可視光および／または紫外光を用いて提供されることを特徴とする、請求項６に記載された方法。
【請求項８】
前記印加された刺激は、印加された化学的刺激であることを特徴とする、請求項１に記載された方法。
【請求項９】
前記印加された化学的刺激は、印加された有機または無機化合物を用いて提供されることを特徴とする、請求項８に記載された方法。
【請求項１０】
前記決定は、前記印加された刺激を測定するシステムを用いて行われることを特徴とする、請求項１〜９のいずれかに記載された方法。
【請求項１１】
１以上の交感神経の緊張中性点における、印加された刺激の前記決定は、鎖骨の上側で前方で、および／または、ＴＨ１０〜ＴＨ１１に対応する脊柱の上で後方で、行われることを特徴とする、請求項１〜１０のいずれかに記載された方法。
【請求項１２】
１以上の交感神経の前記緊張依存点における刺激のしきい値での印加された刺激の前記決定は、交感神経系の心蔵への神経分布に神経支配的に対応する皮膚の上の１以上の位置で、行われることを特徴とする、請求項１〜１１のいずれかに記載された方法。
【請求項１３】
１以上の交感神経の前記緊張依存点における刺激のしきい値での印加された刺激の前記決定は、１以上の点、すなわち、胸骨の中央でのC.V.17および／または乳頭の下の２つの肋骨の間のSt１８および／または乳頭と前腋窩ひだの間のPer1および／またはTH３〜６に対応する脊柱の中で選択される最も痛い点、で行われることを特徴とする、請求項１〜１２のいずれかに記載された方法。
【請求項１４】
人における交感神経緊張を測定する方法であって、
ａ）校正しきい値と刺激しきい値との記憶と、
ｂ）次の、前記刺激しきい値を前記校正しきい値と比較することによる交感神経緊張の示度の計算とからなり、
前記校正しきい値は、人の体の交感神経の緊張中性点での侵害受容しきい値の定量的尺度であり、前記刺激しきい値は、人の体の交感神経の緊張依存点での侵害受容しきい値の定量的尺度であり、
前記交感神経の前記示度は、人における交感神経緊張の尺度である
方法。
【請求項１５】
前記校正しきい値と前記刺激しきい値は実質的に同時に測定されることを特徴とする、請求項１４に記載された方法。
【請求項１６】
侵害受容が、圧縮力、熱、冷却、放射、化学的刺激またはそれらの組み合わせにさらすことにより誘起されることを特徴とする、請求項１４または１５に記載された方法。
【請求項１７】
交感神経の緊張中性点よりも緊張依存点で得られる著しく低い侵害受容のしきい値は、人が交感緊張を増加したことを示すことを特徴とする、請求項１４〜１６のいずれかに記載された方法。
【請求項１８】
前記交感神経の示度値は、少なくとも１つの前に決定された交感神経の示度値と比較され、この前の示度値は、時間において前の点および／または前記値の結果を示すことを特徴とする、請求項１４〜１７のいずれかに記載された方法。
【請求項１９】
人における交感神経緊張を測定するシステムであって、
ａ）人体の交感神経の緊張中性点で決定された侵害受容校正しきい値を記憶し、人体の交感神経の緊張依存点で決定された侵害受容刺激しきい値を記憶する記憶手段と、
ｂ）前記侵害受容校正しきい値と前記侵害受容刺激しきい値のデータ処理をして測定値を得るようにプログラムされた電子回路と
からなるシステム。
【請求項２０】
さらに、
ユーザが操作する、人体の表面に不快を生じる刺激を加える印加手段と、
（ａ）第１の使用者の操作から得られた前記侵害受容校正しきい値を記憶し、かつ
（ｂ）第２の使用者の操作から得られた前記侵害受容刺激しきい値を記憶する
ための、ユーザが操作する記憶手段とを備える
ことを特徴とする、請求項１９に記載されたシステム。
【請求項２１】
不快を生じる刺激を加える前記印加手段が第１ユニットの中に含まれ、前記電子回路は第２ユニットの中に含まれることを特徴とする、請求項２０に記載されたシステム。
【請求項２２】
前記第１ユニットと前記第２ユニットは、両者の間の無線通信を行うことが可能であることを特徴とする、請求項２１に記載されたシステム。
【請求項２３】
不快を生じる刺激を加える前記印加手段および前記電子回路が、１つの同じ装置に一体化されていることを特徴とする、請求項２０に記載されたシステム。
【請求項２４】
不快を生じる刺激を加える前記印加手段が、しだいに増加する刺激を加えるように調整され、前記記憶手段が、前記第１および第２の使用者の操作に対応する時間に刺激レベルを記憶するように調整されることを特徴とする、請求項２０〜２３のいずれかに記載されたシステム。
【請求項２５】
不快を生じる前記刺激は、圧縮力、熱、寒さ、放射、化学的刺激またはそれらの組み合わせにさらすことを含むことを特徴とする、請求項２０〜２３のいずれかに記載されたシステム。
【請求項２６】
前記圧縮力は加圧手段(5)またはクランプを用いて加えられることを特徴とする、請求項２５に記載されたシステム。
【請求項２７】
不快を生じる前記刺激は、第１と第２の使用者の操作の時間に停止されることを特徴とする、請求項１９〜２６のいずれかに記載されたシステム。
【請求項２８】
前記加圧手段（５）の接触面（６）が弾力的であることを特徴とする、請求項２７に記載されたシステム。
【請求項２９】
前記加圧手段（５）は液体、ゲルおよび好ましくは気体で充填された気泡を含むことを特徴とする、請求項３５に記載されたシステム。
【請求項３０】
接触面(6)の前記面積は４ｃｍ２より小さく、好ましくは１ｃｍ２と２ｃｍ２の間であることを特徴とする、請求項２６〜２９のいずれかに記載されたシステム。
【請求項３１】
人における交感神経緊張測定の測定システム（４）であって、
人体に外側圧縮力を及ぼす接触面を備えた加圧手段（５）と、
前記加圧手段（５）により及ぼされた圧縮力を測定するセンサ（７）と、
第１の測定された圧縮力と第２の測定された圧縮力を記憶し、第１の測定された圧縮力と第２の測定された圧縮力の比を表示として読み出し値を計算する電子回路とからなり、
前記読み出し値を表示するための読み出しユニット（８）を含み、前記加圧手段（５）の接触面（６）が弾力的である
システム。
【請求項３２】
前記加圧手段（５）と前記センサ（７）は第１ユニット内に一体化され、前記電子回路は第２ユニット内に一体化されることを特徴とする、請求項３１に記載されたシステム。
【請求項３３】
前記第１ユニットと前記第２ユニットは、両者の間の無線通信を行うことが可能であることを特徴とする、請求項３２に記載されたシステム。
【請求項３４】
前記加圧手段（５）、前記センサ（７）および前記電子回路が、１つの同じ装置に一体化されていることを特徴とする、請求項３１に記載されたシステム。
【請求項３５】
前記加圧手段（５）は液体、ゲルおよび好ましくは気体で充填された気泡を含むことを特徴とする、請求項３１〜３４のいずれかに記載されたシステム。
【請求項３６】
接触面(6)の前記面積は４ｃｍ２より小さく、好ましくは１ｃｍ２と２ｃｍ２の間であることを特徴とする、請求項３１〜３５のいずれかに記載されたシステム。
【請求項３７】
前記センサがピエゾ抵抗力センサであることを特徴とする、請求項３１〜３６のいずれかに記載されたシステム。
【請求項３８】
携帯でき、かつ、１以上の電池で電気が供給されることを特徴とする、請求項３１〜３７のいずれかに記載されたシステム。
【請求項３９】
前記読出ユニットは、電子表示装置であることを特徴とする、請求項３１〜３８のいずれかに記載されたシステム。
【請求項４０】
前記電子回路は、前記読み出し値を複数の離散的な読み出し値の１つとして決定し、離散的な読み出し値が割り当てられた前記第１の測定値と前記第２の測定値の比は前記読み出しユニット（８）に表示されることを特徴とする、請求項３１〜３９のいずれかに記載されたシステム。
【請求項４１】
前記離散的読み出し値（０，１，２，３）は、前記第１測定値と前記第２測定値との比に比例しないことを特徴とする、請求項４０に記載されたシステム。
【請求項４２】
前記電子回路は、前記第１測定値を、多数の測定値の平均として計算し、前記第２測定値を多数の測定値の平均値として計算することを特徴とする、請求項３１〜４１のいずれかに記載されたシステム。
【請求項４３】
交感神経の緊張を決定するための刺激を印加し測定するためのシステムの用途であって、
１以上の交感神経の緊張中性点において刺激のしきい値で、印加された刺激を決定し、
１以上の交感神経の緊張依存点において同じ刺激のしきい値で、印加された刺激を決定する
ことを含む用途。
【請求項４４】
請求項４３に記載された用途であって、
１以上の交感神経の緊張中性点における、印加された刺激の前記決定は、鎖骨の上側で前方で、および／または、ＴＨ１０〜ＴＨ１１に対応する脊柱の上で後方で、行われることを特徴とする用途。
【請求項４５】
請求項４３または４４による用途であって、
１以上の交感神経の前記緊張依存点における刺激のしきい値での印加された刺激の前記決定は、交感神経系の心蔵への神経分布に神経支配的に対応する皮膚の上の１以上の位置で行われることを特徴とする用途。
【請求項４６】
請求項４３〜４５のいずれかに記載された用途であって、
１以上の交感神経の前記緊張依存点における刺激のしきい値での印加された刺激の前記決定は、１以上の点、すなわち、胸骨の中央でのC.V.17および／または乳頭の下の２つの肋骨の間のSt１８および／または乳頭と前腋窩ひだの間のPer1および／またはTH３〜６に対応する脊柱の中で選択される最も痛い点、で行われることを特徴とする用途。
【請求項４７】
交感神経緊張を決定するため交感神経緊張中性点における、かつ、交感神経緊張依存点における、侵害受容の測定の使用。
【請求項４８】
交感神経緊張を決定するための侵害受容の測定の用途。